(57)【要約】【課題】本発明は左径間橋桁と右径間橋桁を橋脚に強固に引き留めし、地震時等の落橋防止対策として有効に機能させることができる落橋防止構造を提供する。【解決手段】橋脚１の橋座面１ａ上において隣接する橋桁２間にコンクリート製横梁３を横設して隣接する橋桁２を連結すると共に、下端を橋脚１内に埋設し上端を橋座面１ａから立ち上げたアンカー棒４を設け、該アンカー棒４の立ち上げ部５を上記コンクリート製横梁３の下面から同横梁３内に挿入して該コンクリート製横梁３と橋脚１間を連結した落橋防止構造。【選択図】        図１
2007262746.tif 000002
【特許請求の範囲】
【請求項１】
橋脚の橋座面上において隣接する橋桁間にコンクリート製横梁を横設して隣接する橋桁を連結すると共に、下端を橋脚内に埋設し上端を橋座面から立ち上げたアンカー棒を設け、該アンカー棒の立ち上げ部を上記コンクリート製横梁の下面から同横梁内に挿入して該コンクリート製横梁と橋脚間を連結したことを特徴とする落橋防止構造。
【請求項２】
上記アンカー棒の立ち上げ部は上記コンクリート製横梁内に橋長方向における遊間を存して挿入したことを特徴とする請求項１記載の落橋防止構造。
【請求項３】
橋脚の橋座面上において隣接する左径間橋桁の桁端間に第１コンクリート製横梁を横設して隣接する桁端を連結すると共に、右径間橋桁の桁端間に第２コンクリート製横梁を横設して隣接する桁端を連結し、第１、第２コンクリート製横梁を橋長方向に延びる連結条材にて互いに連結したことを特徴とする落橋防止構造。
【請求項４】
上記連結条材の両端が上記第１、第２コンクリート製横梁内を前面から背面に向け緩貫挿され、背面から突出する連結条材の端部を同背面に緩衝材を介してナット締めしたことを特徴とする請求項３記載の落橋防止構造。
【発明の詳細な説明】
【技術分野】
【０００１】
本発明は重度の地震等によって橋桁が橋脚から落下する事態を有効に防止する落橋防止構造に関する。
【背景技術】
【０００２】
特許文献１においては、左径間橋桁の桁端と右径間橋桁の桁端を橋脚上に橋幅方向へ位置をずらして橋脚上に支持する架橋構造を採りつつ、左径間橋桁の桁端と右径間橋桁の桁端の両桁端を埋設するコンクリート製横梁を設け、左右径間橋桁の両桁端を共通のコンクリート製横梁にて連結し、該コンクリート製横梁に左右径間橋桁に加わる引張力に対する抗強度を担わせる橋桁連結構造を示している。
【０００３】
換言するとこの先行例においては、共通のコンクリート製横梁の左半部に左径間橋桁の桁端を埋設し、同右半部に右径間橋桁の桁端を埋設して左右径間橋桁の桁端を共通のコンクリート製横梁にて連結した構造にし、落橋防止を図っている。
【特許文献１】特開２００３−２５３６２１号公報
【発明の開示】
【発明が解決しようとする課題】
【０００４】
上記のように特許文献１においては、コンクリート製横梁の一側から左径間橋桁の桁端が埋設され、同他側から右径間橋桁の桁端が埋設された構造であるため、コンクリート製横梁の有効断面積が減殺され、地震、活荷重、外気温等の変化によって生じる橋桁の撓みや伸縮による橋長方向の引張力に対して、コンクリート製横梁に亀裂や破壊が生じ、充分な径間連結強度を確保し難く、落橋防止手段として有効に機能し難い問題を有している。
【課題を解決するための手段】
【０００５】
本発明は上記問題点を有効に解決する落橋防止構造を提供するものであり、その第一手段として、橋脚の橋座面上において隣接する橋桁間にコンクリート製横梁を横設して隣接する橋桁を連結すると共に、下端を橋脚内に埋設し上端を橋座面から立ち上げたアンカー棒を設け、該アンカー棒の立ち上げ部を上記コンクリート製横梁の下面から同横梁内に挿入して該コンクリート製横梁と橋脚間を連結する落橋防止構造を提供するものである。
【０００６】
上記アンカー棒の立ち上げ部は上記コンクリート製横梁内に橋長方向における遊間を存して挿入する。
【０００７】
又第二手段として、橋脚の橋座面上において隣接する左径間橋桁の桁端間と右径間橋桁の桁端間にコンクリート製横梁を夫々横設して隣接する桁端を夫々連結すると共に、両コンクリート製横梁を橋長方向に延びる連結条材にて互いに連結する落橋防止構造を提供するものである。
【０００８】
上記連結条材の両端は上記両コンクリート製横梁内を前面から背面に向け緩貫挿し、背面から突出する連結条材の端部を同背面に緩衝材を介してナット締めする。
【発明の効果】
【０００９】
本発明によれば、上記各桁端に横設したコンクリート製横梁とアンカー棒とが協働して橋桁を橋脚に強固に引き留めし、又は上記各桁端に横設したコンクリート製横梁と連結条材とが協働して左右径間の橋桁間を強固に連結し、地震時等の落橋防止対策として極めて有効に機能させることができる。
【００１０】
又コンクリート製横梁の全断面積を橋桁間の連結に寄与させることができる。
【発明を実施するための最良の形態】
【００１１】
図１乃至図６は本発明に係る落橋防止構造の第１実施例を、図７乃至図１０は同第２実施例を示し、図１１は第１、第２実施例の併用例を示している。以下第１、第２実施例の共通構造について説明し、次に各実施例に固有な構造について説明する。
【００１２】
＜第１、第２実施例に共通な構造＞
図１、図２、図７、図８等に示すように、コンクリート製橋脚１の橋座面１ａ上に左径間橋桁２の桁端と右径間橋桁２の桁端とを、各桁端面が対向するように支持する。
【００１３】
即ち上記左径間橋桁２と右径間橋桁２とは橋長方向における同一軸線上において延在し、各桁端面が所定の間隔７を存して対向するように橋脚１上に支持する。
【００１４】
各橋桁２は例えばＨ形鋼又はＩ桁又は箱桁に代表される鋼桁から成り、両鋼桁の下部フランジ１０を桁端において上記橋脚１の橋座面１ａ上に支持する。又は橋桁２としてＰＣコンクリート桁を用い、その桁端を橋脚１の橋座面１ａ上に支持する。
【００１５】
上記各橋桁２の桁端は既知のゴム支承等の支承８を介して、橋脚１の橋座面１ａ上に支持する。
【００１６】
図２、図８に示すように、橋桁１がＨ形鋼等の上部フランジ１０′と下部フランジ１０を有する橋桁である場合には、上記コンクリート製横梁３は隣接する橋桁２の腹板９の側面、好ましくは同腹板９の高さの途中から下部フランジ１０の上面に至る腹板側面に密着し、且つ下部フランジ１０の上面に密着するようにコンクリートを打設し形成する。
【００１７】
従ってコンクリート製横梁３は、その両端が下部フランジ１０に荷受けされ、更に橋幅方向に貫く連結棒材１２によって腹板９間に横架荷受けされ、連結される。
【００１８】
図２、図８に示すように、上記橋脚１の橋座面１ａ上において隣接する橋桁２間にコンクリート製横梁３を現場コンクリート打ちにて横設し、該コンクリート製横梁３の一端を隣接する一方の橋桁２の腹板９に連結すると共に、コンクリート製横梁３の他端を隣接する他方の橋桁２の腹板９に連結し、両持ち支持構造にする。
【００１９】
橋桁２がＨ形鋼又はＩ桁又は箱桁から成る鋼桁である場合、又はコンクリート製橋桁である場合にも、路盤１５を形成する端部と橋脚１に支持する端部間を連結する部分を腹板９と称する。Ｈ形鋼桁である場合には路盤１５を形成する上端が上部フランジ１０′であり、橋脚１に支持する下端が下部フランジ１０である。
【００２０】
図示のように、橋桁２がＨ形鋼又はＩ桁又は箱桁から成る鋼桁である場合には、コンクリート製横梁３の一端を隣接する一方の鋼桁の腹板９に連結すると共に、コンクリート製横梁３の他端を隣接する他方の鋼桁の腹板９に連結し、隣接する橋桁２（腹板９）間において両持ち支持構造にする。
【００２１】
上記コンクリート製横梁３内には鉄筋１１を埋設すると共に、橋幅方向に延在する連結棒材１２を埋設し、該連結棒材１２を隣接する腹板９間に貫挿横架し、該連結棒材１２にて上記コンクリート製横梁３を腹板９、即ち橋桁２に両持ち支持状態で連結する。
【００２２】
適例として図２、図８に示すように、上記連結棒材１２を橋幅方向に並列した全橋桁２の腹板９を橋幅方向において貫挿せしめ、該連結棒材１２の一端を最左端の橋桁２の腹板９の外側面においてナット１４により締結すると共に、連結棒材１２の他端を最右端の橋桁２の腹板９の外側面においてナット１４により締結する。
【００２３】
図２、図８はコンクリート製横梁３を隣接する橋桁１の腹板９間に両持ち支持した場合を示しているが、図３、図９に示すように、上記コンクリート製横梁３を橋桁２の腹板９に片持ち支持構造にすることができる。
【００２４】
図３、図９に示すように、各橋桁２の腹板９の一側面に上記コンクリート製横梁３を片持ち支持するか、又は橋桁２の腹板９の両側面に上記コンクリート製横梁３を片持ち支持し、各片持ち支持コンクリート製横梁３及び腹板９に上記連結棒材１２を貫通埋設し、該連結棒材１２を介して腹板９に連結支持する。
【００２５】
上記コンクリート製横梁３と橋脚１とはコンクリート結合させずに、コンクリート製横梁３の下面と橋座面１ａ間に間隙１３を存し橋桁２間に横設し、コンクリート製横梁３を支承８を介して橋脚１の橋座面１ａ上に荷受け支持する。
【００２６】
上記連結棒材１２としては、鉄筋、ＰＣ鋼棒、ＰＣケーブル等を用いる。
【００２７】
＜第１実施例に固有の構造＞（図１乃至図６参照）
図１乃至図６に示す落橋防止構造は、橋脚１の橋座面１ａ上において隣接する橋桁２間に上記共通構造において説明したコンクリート製横梁３を横設して隣接する橋桁２を連結すると共に、下端を橋脚１内に埋設し上端を橋座面１ａから立ち上げたアンカー棒４を設け、該アンカー棒４の立ち上げ部５を上記コンクリート製横梁３の下面から同横梁３内に挿入して該コンクリート製横梁３と橋脚１間を橋軸方向と直交する方向において連結した構成を有する。
【００２８】
図２においては、上記コンクリート製横梁３の下部を下部フランジ１０の側端面から橋脚１に向け増厚し、橋脚１の橋座面１ａとの間に間隙１３を形成し、該隣接するコンクリート製横梁３の各増厚部３′間に上記支承８の設置スペースを形成している。
【００２９】
又増厚部３′によりコンクリート製横梁３の下面と、橋脚１の橋座面１ａ間を可及的に接近させ、上記アンカー棒４の立ち上げ部５が基部付近からコンクリート製横梁３内に挿入されるようにする。
【００３０】
図１、図２に示すように、共通の橋脚１上に左径間橋桁２の桁端と右径間橋桁２の桁端を支持する場合には、橋脚１の橋座面１ａ上において隣接する左径間橋桁２の各橋桁２間に上記共通構造において説明した第１コンクリート製横梁３を横設して隣接する橋桁２を連結する。
【００３１】
上記各第１コンクリート製横梁３は同横梁３を貫挿し、且つ各左径間橋桁２の腹板９に貫挿した連結棒材１２にて連結する。
【００３２】
そして下端を橋脚１内に埋設し上端を橋座面１ａから立ち上げた第１アンカー棒４を設け、該アンカー棒４の立ち上げ部５を上記第１コンクリート製横梁３の下面から同横梁３内に挿入して同横梁３と橋脚１間を橋軸方向と直交する方向において連結した構造にする。
【００３３】
同様に橋脚１の橋座面１ａ上において隣接する右径間橋桁２の各橋桁２間に上記共通構造において説明した第２コンクリート製横梁３を横設して隣接する橋桁２を連結する。
【００３４】
上記各第２コンクリート製横梁３は同横梁３を貫挿し、且つ各右径間橋桁２の腹板９に貫挿した連結棒材１２にて連結し、更に下端を橋脚１内に埋設し上端を橋座面１ａから立ち上げた第２アンカー棒４を設け、該アンカー棒４の立ち上げ部５を上記コンクリート製横梁３の下面から同横梁３内に挿入して同横梁３と橋脚１間を連結した構造にする。
【００３５】
図４に示すように、橋桁２の橋長方向への延在長の途中を橋脚１の橋座面１ａ上に支持する場合には、橋脚１の橋座面１ａ上において隣接する橋桁２の延在長の途中の各橋桁２間に上記共通構造において説明したコンクリート製横梁３を横設して隣接する橋桁２を連結する。これによって上記橋桁２の桁端が他の橋脚１又は橋梁端の橋台１′から落橋するのを防止する。
【００３６】
又図５は橋桁２の端部を支持する橋台１′に上記落橋防止構造を実施する場合を示している。
【００３７】
図示のように、橋台１′の橋座面１ａ上において隣接する橋桁２間に上記共通構造において説明したコンクリート製横梁３を横設して隣接する橋桁２を連結すると共に、下端を橋台１′内に埋設し上端を橋座面１ａから立ち上げたアンカー棒４を設け、該アンカー棒４の立ち上げ部５を上記コンクリート製横梁３の下面から同横梁３内に挿入して該コンクリート製横梁３と橋台１′間を連結する。
【００３８】
上記アンカー棒４の立ち上げ部５は図６に示すように、上記コンクリート製横梁３内に橋長方向における遊間６を存して挿入し、即ち上記コンクリート製横梁３に下面において開口する橋座面１ａに対し略垂直な縦孔１６を設け、該縦孔１６内に上記アンカー棒４の立ち上げ部５を遊挿し、橋桁２の撓みに伴う橋長方向の引張力に対して、又環境の温度変化に伴う橋長方向の伸縮に対して、限定された範囲（遊間６の範囲）で橋長方向への移動を許容する構造にする。
【００３９】
上記落橋防止構造の第１実施例においては、上記各桁端に横設したコンクリート製横梁３とアンカー棒４とが協働して橋桁２を橋脚１に強固に引き留めし、地震時等の落橋防止対策として極めて有効に機能させることができる。
【００４０】
＜第２実施例に固有の構造＞（図７乃至図１０参照）
図７乃至図１０に示す落橋防止構造は、橋脚１の橋座面１ａ上において隣接する左径間橋桁２の桁端間に上記共通構造において説明したコンクリート製横梁３を横設して隣接する桁端を連結すると共に、右径間橋桁２の桁端間にコンクリート製横梁３を横設して隣接する桁端を連結し、両コンクリート製横梁３を橋長方向に延びる連結条材１７にて互いに連結した構成を有する。
【００４１】
図８に示すように、上記コンクリート製横梁３はその下面を下部フランジ１０の上面と同一レベルになるように打設形成する。
【００４２】
上記連結条材１７は、その両端が上記両コンクリート製横梁３内を前面から背面に向け緩貫挿され、背面から突出する連結条材１７の端部を同背面に緩衝材１８を介してナット１９にて締結する。
【００４３】
図７、図８に示すように、共通の橋脚１上に左径間橋桁２の桁端と右径間橋桁２の桁端を支持する場合には、橋脚１の橋座面１ａ上において隣接する左径間橋桁２の各橋桁２間に上記共通構造において説明した第１コンクリート製横梁３を横設して隣接する橋桁２を連結する。
【００４４】
上記各第１コンクリート製横梁３は同横梁３を貫挿し、且つ各左径間橋桁２の腹板９に貫挿した連結棒材１２にて連結する。
【００４５】
同様に橋脚１の橋座面１ａ上において隣接する右径間橋桁２の各橋桁２間に上記共通構造において説明した第２コンクリート製横梁３を横設して隣接する橋桁２を連結する。
【００４６】
上記各第２コンクリート製横梁３は同横梁３を貫挿し、且つ各右径間橋桁２の腹板９に貫挿した連結棒材１２にて連結する。
【００４７】
そして上記第１コンクリート製横梁３と第２コンクリート製横梁３を連結条材１７にて連結し、左右径間橋桁２を連結する。
【００４８】
詳述すると、上記第１、第２コンクリート製横梁３にその橋長方向における前面から背面に向け貫通せる貫通孔２０を設け、該各貫通孔２０に上記連結条材１７の各端を緩貫挿してコンクリート製横梁３の背面に突出せしめ、該突出端にナット１９を螺合して締結する。
【００４９】
上記のようにナット１９とコンクリート製横梁３の背面間にはゴムやばね材等の緩衝材１８を介在し弾力的に締結する。
【００５０】
上記緩衝材１８は支圧板２１間に介在し、即ち緩衝材１８を二枚の支圧板２１にてサンドイッチし、これをナット１９にて締結する。
【００５１】
上記連結条材１７は金属製等の無垢の棒材又は管材、ケーブル等の引っ張りに対し抗張力を発揮する条材が使用される。
【００５２】
又図１０は橋桁２の端部を支持する橋台１′に上記落橋防止構造を実施する場合を示している。
【００５３】
図示のように、橋台１′の橋座面１ａ上において隣接する橋桁２の桁端間に上記共通構造において説明したコンクリート製横梁３を横設して隣接する桁端を連結し、コンクリート製横梁３と橋台１′の立ち上げ部に貫挿して橋長方向に延びる連結条材１７にて互いに連結する。連結構造の詳細については、図７、図８に基づいて既に説明した通りである。
【００５４】
上記落橋防止構造の第２実施例においては、上記各桁端に横設したコンクリート製横梁３と連結条材１７とが協働して橋桁２を橋脚１に強固に引き留めし、地震時等の落橋防止対策として極めて有効に機能させることができる。
【００５５】
次に図１１は上記第１実施例において説明したアンカー棒４と、第２実施例において説明した連結条材１７を併用した場合を示している。
【００５６】
要述すると、橋脚１の橋座面１ａ上において隣接する左径間橋桁２間に上記共通構造において説明した第１コンクリート製横梁３を横設して隣接する橋桁２を連結すると共に、同様に橋脚１の橋座面１ａ上において隣接する右径間橋桁２間に上記共通構造において説明した第２コンクリート製横梁３を横設して隣接する橋桁２を連結する。
【００５７】
そして下端を橋脚１内に埋設し上端を橋座面１ａから立ち上げた第１、第２アンカー棒４を設け、該アンカー棒４の立ち上げ部５を上記第１、第２コンクリート製横梁３の下面から同横梁３内に夫々挿入して該各コンクリート製横梁３と橋脚１間を連結する。
【００５８】
更に上記第１、第２コンクリート製横梁３を橋長方向に延びる連結条材１７にて互いに連結し、各コンクリート製横梁３とアンカー棒４と連結条材１７の協働により落橋を防止する例を示している。
【００５９】
詳細については第１実施例と第２実施例の記載を援用する。
【図面の簡単な説明】
【００６０】
【図１】本発明に係る落橋防止構造の第１実施例を、橋脚上に支持された左右径間橋桁に実施した場合の橋長方向断面図。
【図２】上記第１実施例に係る落橋防止構造を、橋脚上に支持された左右径間橋桁に実施した場合の橋幅方向断面図。
【図３】上記第１実施例に係る落橋防止構造のコンクリート製横梁を片持ち支持構造にした場合の橋幅方向断面図。
【図４】上記第１実施例に係る落橋防止構造を橋桁の延在長の途中に実施した場合の橋長方向断面図。
【図５】上記第１実施例に係る落橋防止構造を橋台に実施した場合の橋長方向断面図。
【図６】上記第１実施例に係る落橋防止構造においてコンクリート製横梁に対するアンカー棒の挿入状態を示す断面図。
【図７】本発明に係る落橋防止構造の第２実施例を、橋脚上に支持された左右径間橋桁に実施した場合の橋長方向断面図。
【図８】上記第２実施例に係る落橋防止構造を、橋脚上に支持された左右径間橋桁に実施した場合の橋幅方向断面図。
【図９】上記第２実施例に係る落橋防止構造のコンクリート製横梁を片持ち支持構造にした場合の橋幅方向断面図。
【図１０】上記第２実施例に係る落橋防止構造を橋台に実施した場合の橋長方向断面図。
【図１１】上記第１、第２実施例に係る落橋防止構造を併用した例を示す橋長方向断面図。
【符号の説明】
【００６１】
１…橋脚、１ａ…橋座面、１′…橋台、２…橋桁、３…コンクリート製横梁、３′…増厚部、４…アンカー棒、５…立ち上げ部、６…遊間、７…間隔、８…支承、９…腹板、１０…下部フランジ、１０′…上部フランジ、１１…鉄筋、１２…連結棒材、１３…間隙、１４…ナット、１５…路盤、１６…縦孔、１７…連結条材、１８…緩衝材、１９…ナット、２０…貫通孔、２１…支圧板。
【図１】
2007262746.tif 000003
【図２】
2007262746.tif 000004
【図３】
2007262746.tif 000005
【図４】
2007262746.tif 000006
【図５】
2007262746.tif 000007
【図６】
2007262746.tif 000008
【図７】
2007262746.tif 000009
【図８】
2007262746.tif 000010
【図９】
2007262746.tif 000011
【図１０】
2007262746.tif 000012
【図１１】
2007262746.tif 000013